(57)【要約】【課題】  本発明は建築物配管工事において、壁、床又は天井等に３次元位置にある２点の既設管口を３個の直交管及びエルボで接続する寸法モジュールを得るための、簡便容易で熟練を要せず計測記憶する３方尺を得ることを目的とする。【解決手段】  主尺１と直交し、かつ互に直交する２個の副尺２，２’とよりなり、上記主尺１と２個の上記副尺２，２’とを交差部３において摺動固定自在に組合わせてなり、主尺及び副尺がそれぞれ中心線と平行な案内溝を有し、交差部においてそれぞれ直交案内ガイドに互に摺動固定自在に支持してなる３方尺。【選択図】  図１
2006194728.tif 000002
【特許請求の範囲】
【請求項１】
主尺と直交し、かつ互に直交する２個の副尺とよりなり、
上記主尺と２個の上記副尺とを交差部において摺動固定自在に組合わせてなる３方尺。
【請求項２】
主尺及び副尺がそれぞれ中心線と平行な案内溝を有し、交差部においてそれぞれ直交案内ガイドに互に摺動固定自在に支持してなる請求項１記載の３方尺。
【請求項３】
上記主尺及び副尺がそれぞれ案内溝を介して両端部を接続片で接続した平行杆であって、
主尺の案内溝内に該溝の長手方向に摺動自在に単杆を嵌合し、
上記単杆の一端部上面に、主尺上面及び一方の副尺下面に摺動自在に係合する副尺ホールダによって交差部を形成し、
上記単杆の他端部を、主尺と他方の副尺との交差部において案内溝に摺動自在に嵌合し、
これらの交差部にそれぞれ締付ボルトナットを設けた請求項１又は２記載の３方尺。
【発明の詳細な説明】
【技術分野】
【０００１】
本発明は建築物の配管工事において、壁、床又は天井に配置される２点の管口を３方向直交管及びエルボによって現場で接続する場合、３個の直交管の寸法を予め計測する３方尺に関するものである。
【背景技術】
【０００２】
従来、建築物の内壁・床その他の空間に露出している２個の直交配管口を上記内壁・床等に沿って又は空間において接続する場合には一般に直管とエルボとの組合わせによる直交配管が行われ、空間の斜交配管は建築配管には馴染まないし、モジュール化されてもいない。
【０００３】
ところが上記建築配管工事において直管をモジュール化するため長さ寸法を特定しなければならない。
【０００４】
上記寸法が精度よく計測されていないと、配管の取り合い作業において調整作業を必要とし、精度管理ができず、モジュール配管工事に重大な支障を来すおそれがある。
【０００５】
従来、配管をモジュール化するため２本の平行主桁を一体に設けて、モジュール空間枠を形成し、
該空間枠内に配管位置を設定する位置計測装置が開発された（例えば特許文献１）。
【０００６】
しかし、既設の建築物内部空間に露出させ、又は壁、床等に配設される２点の給水又は排水管口を内部改修工事等において接続する場合が多く、上記モジュール空間枠を用いることはできないし、曲尺を用いるにしても３方寸を精度良く、かつ間違いなく計測及び記憶するため熟練を要し、モジュール化することは困難であった。
【０００７】
【特許文献１】特開平６−１８２０１号
【発明の開示】
【発明が解決しようとする課題】
【０００８】
本発明は建築物配管工事において、壁、床又は天井等に３次元位置にある２点の既設管口を３個の直交管及びエルボで接続する寸法モジュールを得るための、簡便容易で熟練を要せず計測記憶する３方尺を得ることを目的とする。
【課題を解決するための手段】
【０００９】
上記の目的を達成するため本発明は
第１に主尺と直交し、かつ互に直交する２個の副尺とよりなり、上記主尺と２個の上記副尺とを交差部において摺動固定自在に組合わせてなる３方尺、
第２に主尺及び副尺がそれぞれ中心線と平行な案内溝を有し、交差部において一体の直交案内ガイドに互に摺動自在にボルトによって支持され、該ボルトの先端部を上記案内溝内に中心線の方向に摺動可能に挿入した上記第１発明記載の３方尺、
第３に上記主尺及び副尺がそれぞれ案内溝を介して両端部を接続片で接続した平行杆であって、主尺の案内溝内に該溝の長手方向に摺動自在に単杆を嵌合し、上記単杆の一端部上面に、主尺上面及び一方の副尺下面に摺動自在に係合する副尺ホールダを設けて交差部を形成し、上記単杆の他端部を、主尺と他方の副尺との交差部において案内溝に摺動自在に嵌合し、これらの交差部にそれぞれ締付ボルトナットを設けた上記第１又は第２発明記載の３方尺、
によって構成される。
【００１０】
従って建築物の内部空間の２点に配置されている互いに直交する管口に２個の副尺の端を接し、主尺を２個の副尺と直交させて交差部を締付ボルトナットで固定して、これを現場域外に搬出し、
一方の副尺によって一方管口から他方の管口までの「高さ」、他方の副尺によって他方の管口から一方の管口までの「距離」及び主尺によって両管口の「間隔」を計測記録し、
上記計測記録に基づいて上記高さ、距離及び間隔に相当する寸法の３個の接続管を切出し、上記２点の管口に高さ及び距離寸法管のそれぞれ一端を螺入し、これらの高さ及び距離寸法管のそれぞれ他端をエルボを介して間隔寸法管の両端に螺着することにより上記２点の管口は３個の直交配管により接続される。
【００１１】
又上記寸法に切出された３種の配管の寸法はモジュール化され、複数の同一仕様現場に適用される。
【発明の効果】
【００１２】
本発明は上述のように構成したので上記空間の２点にある直交配管口の高さ、距離及び間隔の寸法を容易に計測し得て３個の直交管を切出して簡便に直交管によって接続し得るばかりでなく、
複数の現場における上記２点間配管をモジュール化し得る効果がある。
【発明を実施するための最良の形態】
【００１３】
１個の主尺１に間隔を置いて２個の副尺２，２’を交差させて２個の交差部３，３’が設けられる。
【００１４】
上記交差は交差角９０度（直交）であって主尺１及び副尺２，２’は３者互に直交する。
【００１５】
各尺１，２，２’はそれぞれの中心線ｃ，ｃ’，ｃ”と平行な（長手方向の）案内溝４，４’，４”を有し、上記交差部３，３’において一体の直交案内ガイド５，５’にそれぞれ摺動固定自在の締付ボルト１０・ナット１０’（図７ではボルト１０のみ）によって支持される。
【００１６】
即ち上記ボルト１０は図１、図３では主尺１及び副尺２の水平直交案内溝４，４’に挿入し、図２では直立案内溝４”に上記案内ガイド５’から摺動自在に挿入し、かつ該ボルト１０に螺合したナット１０’によって締付固定される。
【００１７】
上記主尺１及び副尺２，２’は図１〜図４に示すようにそれぞれ案内溝４，４’，４”を介在させた平行杆１１，１１であって両端部を接続片６，６で接続して用いられ、
図７（イ）（ロ）図に示すように長円筒又は長円管１２を用いることができ、交差部３，３’ではそれぞれ一体の直交短管１３，１３（図７（イ）（ロ）図）を用いボルト１０を螺入し、該ボルト１０の先端部を長円筒又は長円管１２による主尺１及び２個の副尺２，２’の側面に形成した案内溝４，４’，４”内に摺動自在に挿入し、所定位置において該ボルト１０をさらに螺入することによって主尺１と副尺２，２’とをその位置に固定することができる。
【００１８】
図１〜図４では、水平主尺１と水平副尺２との交差部３において、水平主尺１の案内溝４’内に摺動自在に嵌合させた縦断面方形単杆７の先端部に水平主尺１の上面を摺動し、水平副尺２の側面２ａ及び上面２ｂを摺動させる案内面２ａ’，２ｂ’を有する一体の直交案内ガイド５を設ける。
【００１９】
上記単杆７の他端部７’は水平主尺１の他方の接続片６の内面を経て直立副尺２’の案内溝４”を摺動自在に貫通し、該接続片６はＬ形に屈曲し、該直立屈曲部６’から直立副尺２’の案内溝４内に摺動自在にボルト１０を貫通させ、該ボルト１０に螺合した蝶ネジ１０’の締付けによって直立方向の摺動を止めて固定し、それによって上記他方の交差部３’に直交案内ガイド５’を形成するものである。
【００２０】
ところで図５に示すように特に高層建築現場の一空間内の床面及び壁面に露出する互に直交する管口１４，１４’が配置され、図６に示すように副尺２，２’を主尺１と摺動調整して床面からの高さ及び壁面からの距離を計測し、両副尺２，２’間の間隔を主尺１を水平にして計測することができる。
【００２１】
蝶ネジ１０’，１０’を締付けて主尺１及び副尺２，２’を互に固定することによって、計測値を保持して設計室に持参し、計測値をモジュールとして記録し高さ、距離及び間隔値と同一長の鋼管又は塩ビ管１５，１５’，１５”を切出し、エルボ１６を添えて複数の工事現場に持参し、図５実線及び図６仮想線で示すように管口１４，１４’の取り合い工事を行うことができる。
【００２２】
尚図１、図３、図４（ロ）図、図６中６”は主尺１の底面接続片、ｍは目盛りである。
【図面の簡単な説明】
【００２３】
【図１】本発明の３方尺の斜視図である。
【図２】図１の一部拡大斜視図である。
【図３】図１の分解斜視図である。
【図４】（イ）図は図１の平面図、（ロ）図は（イ）図の正面図である。
【図５】配管現場斜視図である。
【図６】計測状態斜視図である。
【図７】（イ）図は図１の他の実施例の斜視図、（ロ）図は直交案内ガイドの斜視図である。
【符号の説明】
【００２４】
１              主尺
２，２’        副尺
３，３’        交差部
ｃ              中心線
４，４’，４”  案内溝
５，５’        直交案内ガイド
６              接続片
７              単杆
８              副尺ホールダ
９，９’        交差部
１０，１０’    締付ボルト・ナット
【図１】
2006194728.tif 000003
【図２】
2006194728.tif 000004
【図３】
2006194728.tif 000005
【図４】
2006194728.tif 000006
【図５】
2006194728.tif 000007
【図６】
2006194728.tif 000008
【図７】
2006194728.tif 000009